(57)【要約】【課題】工具を必要とすることなく、ワンタッチ動作で、配管を支持することができる構成が簡易なパイプハンガーを提供する。【解決手段】配管を挟持するために半円弧状に形成され下端部において互いに回動自在に連結される一対の挟持部２，２、及び、該挟持部２，２の上方に連なる被係止部３，３、を有する挟持体４と、その挟持体４の両被係止部３，３を係脱自在に係止させる係止部５，５及び、該係止部５，５の上方に連なり建屋に取り付けられた支持部材に固定可能な固定部、を有する吊持部材７と、を備え、挟持体４の両被係止部３，３が、吊持部材７の両係止部５，５間に押し込まれることで、挟持体４が吊持部材７に係止される。【選択図】  図１
2005147278.tif 000002
【特許請求の範囲】
【請求項１】
下端部で互いに回動自在に連結されて配管を挟持する一対の挟持部、及び、該挟持部の上方に連なる被係止部、を有する挟持体と、
前記挟持体の両被係止部を係脱自在に係止させる一対の係止部、及び、該係止部の上方に連なり建屋に取り付けられた支持部材に固定可能な固定部、を有する吊持部材と、を備え、
前記挟持体の両被係止部が、前記吊持部材の両係止部間に押し込まれることで、前記挟持体が前記吊持部材に係止されることを特徴とするパイプハンガー。
【請求項２】
前記吊持部材の係止部は、開口を有する一方、前記挟持体の被係止部は、前記被係止部の開口に係脱自在かつ脱落不能に係止される被係止片を有することを特徴とする請求項１に記載のパイプハンガー。
【請求項３】
前記吊持部材の係止部の下端部は、前記挟持体の被係止部の挿入を容易とするために、末拡がり状に形成されていることを特徴とする請求項１又は２に記載のパイプハンガー。
【請求項４】
下端部で互いに回動自在に連結されて配管を挟持する一対の挟持部、及び、該挟持部の上方に連なる被係止部、を有する挟持体と、
前記挟持体の両被係止部を係脱自在に係止させる一対の係止部、及び、該係止部の上方に連なり建屋に取り付けられた支持部材に固定可能な固定部、を有する吊持部材と、を備え、
前記挟持体の両被係止部が、前記吊持部材の両係止部に落とし込まれることで、前記挟持体が前記吊持部材に係止されることを特徴とするパイプハンガー。
【請求項５】
前記吊持部材の係止部は、開口の両側に小突部を有する一方、前記挟持体の被係止部の前記開口の小突部に対応する位置に切欠部が形成され、前記被係止部が、前記開口に係脱自在かつ脱落不能に嵌まるように係止されることを特徴とする請求項４に記載のパイプハンガー。
【請求項６】
前記吊持部材の係止部は、断面略Ｕ字状に形成されたＵ字部を有する一方、前記挟持体の被係止部は、前記Ｕ字部に係脱自在かつ脱落不能に嵌まるように係止される被係止片を有することを特徴とする請求項４に記載のパイプハンガー。
【請求項７】
前記Ｕ字部は、前記被係止片の前記Ｕ字部への落とし込み動作を容易とするために上拡がり状に形成された一対のガイド部分と、前記Ｕ字部内に落とし込んだ前記被係止片が抜け出さないようにするために前記被係止片の幅よりも若干間隔を狭く設定した一対の絞り部分と、を有することを特徴とする請求項６に記載のパイプハンガー。
【請求項８】
下端部で互いに回動自在に連結されて配管を挟持する一対の挟持部、及び、該挟持部の上方に連なる被係止部、を有する挟持体と、
前記挟持体の両被係止部を係脱自在に係止させる一対の係止部、及び、該係止部の上方に連なり建屋に取り付けられた支持部材に固定可能な固定部、を有する吊持部材と、を備え、
前記挟持体の両被係止部が、前記吊持部材の両係止部にスライドされることで、前記挟持体が前記吊持部材に係止されることを特徴とするパイプハンガー。
【請求項９】
前記吊持部材の係止部は、前記挟持体に形成された被係止片を係止させるための係止辺と、前記係止片に形成した突起を嵌入させる係止孔と、を有し、前記被係止片が前記係止辺と係止孔とに係脱自在かつ脱落不能に係止されることを特徴とする請求項８に記載のパイプハンガー。
【請求項１０】
前記係止辺は、前記吊持部材の係止部の下部における前側又は後側に形成され、前記係止孔は、前記吊持部材の係止部の下部中央に形成される一方、前記突起は、前記被係止片に下向きに形成されることを特徴とする請求項８又は９に記載のパイプハンガー。
【発明の詳細な説明】
【技術分野】
【０００１】
本発明は、集合住宅等の建屋の天井裏等に配設される配管を吊持するためのパイプハンガーに関する。
【背景技術】
【０００２】
建屋の天井裏等に配設される給排水用等の配管は、従来、例えば、図６に示すようなパイプハンガーで吊持されていた。このパイプハンガー５１は、配管（図示省略）を挟持するためにヒンジ５９によって互いに連結された一対の挟持部５２，５２、及び、その挟持部５２，５２の上方に連なる吊り下げ部５３，５３、を有する挟持体５４と、建屋に取り付けられる吊り具５５と、その吊り具５５に、両挟持体５４，５４を連結固定するためのボルト５６及びナット５７と、を備えている。
【０００３】
このようなパイプハンガー５１では、例えば、まず、建屋に取り付けられた支持部材に設けられているアンカーボルトにフランジ付きナット５８を螺合締結することにより、吊り具５５の上部を支持部材に固定する。次いで、両挟持部５２，５２間に配設を挟持させて、ボルト５６とナット５７を締結するようにして施工される。
【発明の開示】
【発明が解決しようとする課題】
【０００４】
上述のような従来のパイプハンガー５１は、ボルト５６やナット５７等の締結部材を必要として部品点数が多い上に、現場での施工性がよくないという難点がある。即ち、施工に際しては、上述のボルト５６とナット５７を締結するための工具が必ず必要とされ、かつ、その締結作業は、通常、足場を必要とする高所や狭隘な場所で行われるため、容易でない場合が多かった。そのために、部材費を含めたトータルでの施工コストが高くなるという問題があった。また、施工時に、ボルト５６やナット５７が脱落するようなことも懸念される。
【０００５】
本発明は、このような実情に鑑みてなされ、工具を必要とすることなく、ワンタッチ動作で、配管を吊持することができる構成が簡易なパイプハンガーを提供することを目的とする。
【課題を解決するための手段】
【０００６】
本発明に係るパイプハンガーは、下端部で互いに回動自在に連結されて配管を挟持する一対の挟持部、及び、該挟持部の上方に連なる被係止部、を有する挟持体と、前記挟持体の両被係止部を係脱自在に係止させる一対の係止部、及び、該係止部の上方に連なり建屋に取り付けられた支持部材に固定可能な固定部、を有する吊持部材と、を備え、
前記挟持体の両被係止部が、前記吊持部材の両係止部間に押し込まれることで、前記挟持体が前記吊持部材に係止されることを特徴とする。
【０００７】
このような構成により、吊持部材の固定部を建屋に取り付けられた支持部材に固定した後、挟持体の両挟持部間に配管を挟持させた状態で、前記挟持体の被係止部を、前記吊持部材の係止部に押し込むワンタッチ動作で、配管をパイプハンガーに吊持させることができる。従って、工具を要することなく、施工性が著しく向上する。また、従来のような締結部材を別途必要としないため、部品点数が少なくなり、安価に提供することができる。
【０００８】
このようなパイプハンガーでは、前記吊持部材の係止部が、開口を有する一方、前記挟持体の被係止部が、前記係止部の開口に係脱自在かつ脱落不能に係止される被係止片を有することが好ましい。
【０００９】
また、前記吊持部材の両係止部の下部は、前記挟持体の両被係止部の挿入を容易とするために、末拡がり状に形成されていることが好ましい。
【００１０】
本発明に係る別のパイプハンガーは、下端部で互いに回動自在に連結されて配管を挟持する一対の挟持部、及び、該挟持部の上方に連なる被係止部、を有する挟持体と、前記挟持体の両被係止部を係脱自在に係止させる一対の係止部、及び、該係止部の上方に連なり建屋に取り付けられた支持部材に固定可能な固定部、を有する吊持部材と、を備え、
前記挟持体の両被係止部が、前記吊持部材の両係止部に落とし込まれることで、前記挟持体が前記吊持部材に係止されることを特徴とする。
【００１１】
このような構成により、吊持部材の固定部を建屋に取り付けられた支持部材に固定した後、挟持体の両挟持部間に配管を挟持させた状態で、前記挟持体の被係止部を、前記吊持部材の係止部に落とし込むワンタッチ動作で、配管をパイプハンガーに吊持させることができる。従って、工具を要することなく、施工性が著しく向上する。また、従来のような締結部材を別途必要としないため、部品点数が少なくなり安価に提供することができる。
【００１２】
このようなパイプハンガーでは、前記吊持部材の係止部は、開口の両側に小突部を有する一方、前記挟持体の被係止部の前記開口の小突部に対応する位置に切欠部が形成され、前記被係止部が、前記開口に係脱自在かつ脱落不能に嵌まるように係止されるようにするのが好ましい。
【００１３】
また、吊持部材の係止部に、断面略Ｕ字状に形成されたＵ字部を設ける一方、挟持体の被係止部に、前記Ｕ字部に係脱自在かつ脱落不能に嵌まるように係止される被係止片を設けるのが好ましい。
【００１４】
そのＵ字部には、上拡がり状に形成された一対のガイド部分と、前記Ｕ字部内に落とし込んだ前記被係止片が抜け出さないようにするために前記被係止片の幅よりも若干間隔を狭く設定した一対の絞り部分と、を設けるのが好ましい。
【００１５】
本発明に係る異なるパイプハンガーは、下端部で互いに回動自在に連結されて配管を挟持する一対の挟持部、及び、該挟持部の上方に連なる被係止部、を有する挟持体と、前記挟持体の両被係止部を係脱自在に係止させる一対の係止部、及び、該係止部の上方に連なり建屋に取り付けられた支持部材に固定可能な固定部、を有する吊持部材と、を備え、
前記挟持体の両被係止部が、前記吊持部材の両係止部にスライドされることで、前記挟持体が前記吊持部材に係止されることを特徴とする。
【００１６】
このような構成により、吊持部材の固定部を建屋に取り付けられた支持部材に固定した後、挟持体の両挟持部間に配管を挟持させた状態で、前記挟持体の被係止部を、前記吊持部材の係止部にスライドさせるワンタッチ動作で、配管をパイプハンガーに吊持させることができる。従って、工具を要することなく、施工性が著しく向上する。また、従来のような締結部材を別途必要としないため、部品点数が少なくなり、安価に提供することができる。
【００１７】
このようなパイプハンガーでは、吊持部材の係止部に、前記挟持体の被係止片を係止させるための係止辺と、前記被係止片に形成した突起を嵌入させる係止孔と、を設け、前記被係止片が前記係止辺と係止孔とに係脱自在かつ脱落不能に係止されるようにするのが好ましい。
【００１８】
また、前記係止辺を、吊持部材の係止部の下部における前側又は後側に形成し、前記係止孔を、前記吊持部材の係止部の下部中央に形成する一方、前記突起を、前記被係止片に下向きに形成するのが好ましい。
【発明の効果】
【００１９】
本発明に係るパイプハンガーは、挟持体の被係止部を、吊持部材の両係止部間に押し込むワンタッチ動作で、工具を要することなく、前記挟持体を前記吊持部材に係止させることができるので、現場での作業性が向上する。また、部品点数が少なくなり、安価に提供することができる。
【００２０】
本発明に係る別のパイプハンガーは、挟持体の被係止部を、吊持部材の両係止部間に落とし込むワンタッチ動作で、工具を要することなく、前記挟持体を前記吊持部材に係止させることができるので、現場での作業性が向上する。また、部品点数が少なくなり、安価に提供することができる。
【００２１】
本発明に係る異なるパイプハンガーは、挟持体の被係止部を、吊持部材の両係止部間にスライドさせるワンタッチ動作で、工具を要することなく、前記挟持体を前記吊持部材に係止させることができるので、現場での作業性が向上する。また、部品点数が少なくなり、安価に提供することができる。
【発明を実施するための最良の形態】
【００２２】
以下に、本発明の最良の実施の形態に係るパイプハンガーについて図面を参照しつつ詳細に説明する。
【００２３】
〔実施の形態１〕
図１（ａ）はパイプハンガー１Ａの正面図、図１（ｂ）はＡ−Ａ線矢視図、図１（ｃ）は吊持部材の平面図を示す。これらの図に示すように、このパイプハンガー１Ａは、基本的には、配管（図示省略）を挟持するための挟持体４と、建屋に取り付けられた支持部材（図示省略）に固定される吊持部材７と、で構成される。
【００２４】
その挟持体４は、対向し合う半円弧状に形成されて下端部において互いに回動自在に連結される一対の挟持部２，２、及び、該挟持部２，２の上方に連なる被係止部３，３を有する。他方、吊持部材７は、挟持体４の両被係止部３，３を係脱自在に係止させる係止部５，５、及び、該係止部５，５の上方に連なる固定部６を有する。なお、一対の挟持部２，２は、半円弧状の他、例えば、多角形状等に形成されてもよい。
【００２５】
上述の吊持部材７の係止部５は、矩形状の開口８を有する一方、挟持体４の被係止部３は、係止部５の開口８に係脱自在かつ脱落不能に係止されるように折り返された被係止片９を有し、吊持部材７の両係止部５，５の下部は、挟持体４の両被係止部３，３の挿入を容易とするために、末拡がり状に屈曲されている。
【００２６】
このような構成により、建屋の支持部材に吊持部材７を固定した後、挟持体４の両挟持部２，２間に配管を挟持させて、両被係止部３，３を重ね合わせて吊持部材７の両係止部５，５間に下方から押し込んで少し落とし込めば、工具を要することなく、ワンタッチ動作で、挟持体４の被係止片９，９を吊持部材７の開口８，８に容易かつ迅速、確実に係止させることができる。
【００２７】
このような作業は熟練を要さないため、現場での施工作業性が顕著に向上し、施工に要するコストの低減化を図ることができる。また、ボルトやナットのような締結のための別部材を必要としないため、部品点数が少なく構成が簡易であり、安価に提供することができる。
【００２８】
全体についてより詳しく説明すると、吊持部材７は、所定幅の板金材の中央に平坦部分を残して、その両側を下方に折曲して、さらに略Ｙ字状に屈曲させて、その下部を二枚合わせの構造として、前述したように、その両側壁７１，７１に矩形状の開口８を開設すると共に、その下端部７２，７２を外方に向けて屈曲させて末拡がり状に形成し、上述のように、両被係止部３，３の挿入を容易としている。
【００２９】
そして、中央の平坦部分には孔部６ａを形成し、その孔部６ａに下方からフランジ付きのナット１０を挿入して、吊持部材７の両側壁７１，７１の一部分を内方に突出させて、その両内突部６ｂ、６ｂでナット１０のフランジ部１０ａの下部を支持させている。このナット１０を、建屋の天井裏等に取り付けられた支持部材に嵌め込まれているアンカーボルト（図示省略）に螺合締結することで吊持部材７を建屋に固定することができる。
【００３０】
他方、挟持体４は、所定幅の板金材の平坦な被係止部３の下端から半円弧状に湾曲させて挟持部２を形成し、対向し合う両挟持部２，２の下端同士をヒンジ１１によって相対回動自在に連結している。その挟持部２には外突状の補強リブ２ａを形成して、配管の保持強度の向上を図っている。
【００３１】
被係止部３は、その上端に下方に向けて折り返された被係止片９を有し、その被係止片９の下端をやや外方に屈曲させて、吊持部材７の両側壁７１，７１に形成した矩形状の開口８，８に対する被係止片９，９の落とし込み動作を円滑に行えるようにしている。
【００３２】
以上のような構成により、挟持体４の両挟持部２，２間に配管を挟持させて、両被係止部３，３を重ね合わせて、被係止片９，９を、吊持部材７の両係止部５，５間に下方から押し込めば、両側壁７１，７１が押し拡げられて、吊持部材７の開口８，８に両被係止片９，９を落とし込むようにして係止させることができる。
【００３３】
被係止片９，９が両係止部５，５に係止された状態では、両係止部５，５の側壁７１，７１が、被係止片９，９によって挟み付けられた状態となり、かつ、その被係止片９，９が、開口８，８の下縁に跨乗した状態で脱落不能に係止しているため、安定な係止状態で、配管を吊持することができる。
【００３４】
このような係止状態は、挟持体４を配管と共に上方に持ち上げることで、容易に解除することができるため、配管の取り替えやメンテナンス等の際における作業性もきわめて良好である。また、このパイプハンガー１Ａでは、吊持部材７と挟持体４とを別体としたので、吊持部材７を共通部材として、挟持体４のみを配管の径に合わせて選択することができるため、部品の共用化が可能となり、在庫を少なくできる利点もある。
【００３５】
このようなパイプハンガーでは、前記吊持部材の係止部は、開口の両側に小突部を有する一方、前記挟持体の被係止部の前記開口の小突部に対応する位置に切欠部が形成され、前記被係止部が、前記開口に係脱自在かつ脱落不能に嵌まるように係止されるようにするのが好ましい。
〔実施の形態２〕
図２（ａ）はパイプハンガー１Ｂの正面図、図２（ｂ）はＢ−Ｂ線矢視断面図、図２（ｃ）は吊持部材の平面図を示す。本実施の形態２では、吊持部材７の両側壁７１，７１を平坦状に形成して互いに所定の間隔をおいて平行に対向させているため、挟持体４の両被係止部３，３も、吊持部材７の両側壁７１，７１の内側に付勢状態で挿入されるように、所定の間隔をおいて平行に形成している点が、実施の形態１のパイプハンガー１Ａと異なる。なお、前実施の形態１と同一又は同等部材については同一符号を付し、その説明を省略する。この点については、以下の各実施の形態においても同様である。
【００３６】
この場合においても、実施の形態１と同様に、建屋に取り付けられた支持部材（図示省略）に吊持部材７を固定した後、挟持体４の両挟持部２，２間に配管を挟持させて、両被係止部３，３を、両側から内側に向けて押しつけた状態で、吊持部材７の両係止部５，５間に下方から押し込めば、工具を要することなく、ワンタッチ動作で、挟持体４の被係止片９，９を吊持部材７の開口８，８に容易かつ迅速、確実に嵌め込み係止させることができる。
【００３７】
被係止片９，９が両係止部５，５に係止された状態では、両係止部５，５の側壁７１，７１が、両被係止部３，３によって内側から押圧に付勢されると共に、先端部が鉤状に屈曲された両被係止片９，９が、開口８，８の下縁に跨乗した状態で脱落不能に係止しているため、安定な状態で配管を吊持することができる。
【００３８】
〔実施の形態３〕
図３（ａ）はパイプハンガー１Ｃの正面図、図３（ｂ）は吊持部材の側面図、図３（ｃ）は挟持体の平面図、図３（ｄ）はパイプハンガー１ＣのＣ−Ｃ線矢視断面図、図３（ｅ）は吊持部材の平面図を示す。本実施の形態３では、開口８，８の下部を幅狭く形成すると共に、その幅狭部分の角部両側に小突部８ａ，８ａを形成する一方、挟持体４の被係止部９，９の先端は、折り返すことなく略９０°外方に折曲して、その先端部の両側の開口８，８の小突部８ａ，８ａに対応する位置に切欠部９ａ，９ａを形成している。
【００３９】
この場合においても、実施の形態２と同様に、建屋に取り付けられた支持部材（図示省略）に吊持部材７を固定した後、挟持体４の両挟持部２，２間に配管を挟持させて、両被係止部３，３を、吊持部材７の両係止部５，５間に下方から押し込めば、工具を要することなく、ワンタッチ動作で、挟持体４の被係止片９，９を吊持部材７の開口８，８に容易かつ迅速、確実に嵌め込み係止させることができる。
【００４０】
両開口８，８に被係止片９，９を嵌め込む際に、被係止部９，９の先端に切欠部９ａ，９ａを形成していることによって、開口８，８の小突部８ａ，８ａを乗り越えて、被係止部９，９の先端を開口８，８の幅狭部分の底部に落とし込むことができる（図３（ｄ）参照）。このような係止状態では、両係止部５，５の側壁７１，７１が、両被係止部３，３によって内側から押圧に付勢されると共に、両被係止片９，９の先端が、開口８，８の両側に形成した小突部８ａ，８ａによって抜け止め状態となるため、係止状態が安定に保持され、配管の吊持状態が安定化する。
〔実施の形態４〕
図４（ａ）は、パイプハンガー１Ｄの正面図、図４（ｂ）はＤ−Ｄ線矢視図、図４（ｃ）は吊持部材の平面図を示す。本実施の形態４では、吊持部材７の開口８，８に係止させる挟持体４の被係止片９，９を、その両被係止部３，３の板材の一部分を切り起こして形成している点が、実施の形態２のパイプハンガー１Ｂと異なる。
【００４１】
この場合においても、前実施の形態１，２と同様に、建屋に取り付けられた支持部材に吊持部材７を固定した後、挟持体４の両挟持部２，２間に配管を挟持させて、両被係止部３，３を、吊持部材７の両係止部５，５間に下方から押し込めば、工具を要することなく、ワンタッチ動作で、挟持体４の被係止片９，９を吊持部材７の開口８，８に容易かつ迅速、確実に係止させることができる。
【００４２】
被係止片９，９が両係止部５，５に係止された状態では、両係止部５，５の側壁７１，７１が、被係止片９，９によって挟み付けられた状態となり、かつ、その被係止片９，９が、開口８，８の下縁に跨乗した状態で脱落不能に係止しているため、安定な係止状態で配管を吊持することができる。
【００４３】
〔実施の形態５〕
図５（ａ）は、パイプハンガー１Ｅは正面図、図５（ｂ）はＥ−Ｅ線矢視断面図、図５（ｃ）は吊持部材の平面図を示す。本実施の形態５では、吊持部材７の両側壁７１，７１を平坦状に形成して所定の間隔をおいて互いに平行に対向させているのに対して、挟持体４の両被係止部３，３は、二枚合わせに重ね合わせた状態で吊持部材７の係止部５，５に係止される。
【００４４】
その被係止部３は、平坦部分の上端で略９０°外方に折曲された被係止片９を有する一方、係止部５は、側壁７１の下端を内側に折曲して、その折曲辺部の前後両側を上方に屈曲させて、略Ｕ字状に形成され、そのＵ字部５１内に、被係止片９を上方から嵌めるように落し込み、該被係止片９を係脱自在かつ脱落不能に係止できるようにしている。
【００４５】
そのＵ字部５１は、被係止片９を落とし込み易くするために、上拡がり状に形成された一対のガイド部分５１ａ，５１ａと、落とし込んだ被係止片９が抜け出さないようにするために、その被係止片９の幅よりも若干間隔を狭く設定した一対の絞り部分５１ｂ，５１ｂと、を有している。
【００４６】
この場合は、前各実施の形態と同様に、建屋に取り付けられた支持部材に吊持部材７を固定した後、挟持体４の両挟持部２，２間に配管を挟持させた状態で、両被係止片９，９をＵ字部５１，５１の直上の位置に対応させてガイド部分５１ａ，５１ａに落とし込むことによって、両絞り部分５１ｂ，５１ｂを弾発力に抗して押し開いて、その被係止片９，９をＵ字部５１，５１に着座させた状態に係止させることができる。この場合においても、締結のための工具を要することなく、ワンタッチ動作で挟持体４を吊持部材７に支持させることができる。
【００４７】
両被係止片９，９がＵ字部５１，５１に係止された状態では、その被係止片９，９が、絞り部分５１ｂ，５１ｂによって抜け出しが阻止されるため、配管が安定に支持される。なお、メンテナンス等で係止状態を解除する場合には、挟持体４を配管と共に少し力を入れて上方に持ち上げ両絞り部分５２ａ，５２ａを強制的に外方に開くようにすればよい。
【００４８】
〔実施の形態６〕
図６（ａ）は、パイプハンガー１Ｆの正面図、図６（ｂ）はＦ−Ｆ線矢視断面図、図６（ｃ）は係止片９，９のスライド挿入時の説明図、図６（ｄ）は要部平面図を示す。本実施の形態６は、吊持部材７の両側壁７１，７１を平坦状に形成して所定の間隔をおいて互いに平行に対向させているのに対して、挟持体４の両被係止部３，３は、二枚合わせに重ね合わせた状態で吊持部材７の係止部５，５に係止される。
【００４９】
その被係止部３は、平坦部分の上端で略９０°外方に折曲された被係止片９を有し、かつ、その被係止片９の中央下部に下向きの突起９ｂを形成する一方、係止部５は、側壁７１の下端を内側に折曲して、その折曲辺部７１ａの前側を上方に折り返してやや斜めに傾斜させた係止辺５２と、折曲辺部７１ａの中央部に開設した係止孔５３とを有している。
【００５０】
このような構成により、前各実施の形態と同様に、建屋に取り付けられた支持部材に吊持部材７を固定した後、挟持体４の両挟持部２，２間に配管を挟持させた状態で、二枚合わせに重ね合わせた両被係止部３，３の被係止片９，９を、係止部５，５の後方やや上方から前方に向けてスライドさせて挿入し、両被係止片９，９の先端を係止辺５２，５２に係止させると共に、突起９ｂ，９ｂを係止孔５３，５３に嵌入係止させることで、両被係止片９，９を、係止部５，５に安定に係止させることができる。
【００５１】
被係止片９，９のスライド挿入時には、図６（ｃ）に示すように、被係止片９，９の中央下部に形成した下向きの突起９ｂ，９ｂが、側壁７１の下端の折曲辺部７１ａに摺接するため、両被係止部３，３をやや前方のめりに傾斜させた状態として前方（矢印方向）に押し込めば、突起９ｂ，９ｂを係止孔５３，５３に嵌入させて、両被係止片９，９の先端を係止辺５２，５２に係止させることができる。このような両被係止片９，９の挿入動作は、被係止部分５２，５２が、上述のように、やや斜め上方に傾斜されて折り返されていることで許容される。この場合においても、締結のための工具を要することなくワンタッチ動作で挟持体４を吊持部材７に支持させることができる。
【００５２】
両被係止片９，９が、図６（ｂ）のように係止された状態では、係止辺５２，５２によって、上方への移動を拘束されるため、突起９ｂ，９ｂの係止孔５３，５３に対する嵌入状態は安定に保持される。なお、メンテナンス等で係止状態を解除する場合には、挟持体４を配管と共に少し力を入れて両係止片９，９の後部を斜め上方に持ち上げて、係止孔５３，５３に対する突起９ｂ，９ｂの嵌入状態を解除してから後方にスライドさせればよい。なお、係止辺５２は、側壁７１下端の折曲辺部７１ａの後側に形成してもよい。
【図面の簡単な説明】
【００５３】
【図１】本発明の実施の形態１に係るパイプハンガーの構成説明図で、（ａ）は正面図、（ｂ）はＡ−Ａ線矢視側面図、（ｃ）は吊持部材の平面図である。
【図２】同実施の形態２に係るパイプハンガーの構成説明図で、（ａ）は正面図、（ｂ）はＢ−Ｂ線矢視断面図、（ｃ）は吊持部材の平面図である。
【図３】同実施の形態３に係るパイプハンガーの構成説明図で、（ａ）は正面図、（ｂ）は吊持部材の側面図、（ｃ）は挟持体の平面図、（ｄ）はＣ−Ｃ線矢視断面図、（ｅ）は吊持部材の平面図である。
【図４】同実施の形態４に係るパイプハンガーの構成説明図で、（ａ）は正面図、（ｂ）はＤ−Ｄ線矢視側面図、（ｃ）は吊持部材の平面図である。
【図５】同実施の形態５に係るパイプハンガーの構成説明図で、（ａ）は正面図、（ｂ）はＥ−Ｅ線矢視断面図、（ｃ）は被係止片の挿入動作の説明図、（ｄ）は吊持部材の平面図である。
【図６】同実施の形態５に係るパイプハンガーの構成説明図で、（ａ）は正面図、（ｂ）はＦ−Ｆ線矢視断面図、（ｃ）は被係止片の挿入動作の説明図、（ｄ）は吊持部材の平面図である。
【図７】従来のパイプハンガーの構成の一例を示す説明図である。
【符号の説明】
【００５４】
２…挟持部、３…被係止部、４…挟持体、５…係止部、６…固定部、７…吊持部材、８…開口、８ａ…小突部、９…被係止片、９ａ…切欠部、９ｂ…突起、５１…Ｕ字部、５１ａ…ガイド部分、５１ｂ…絞り部分、５２…係止辺、５３…係止孔、７２…下端部
【図１】
2005147278.tif 000003
【図２】
2005147278.tif 000004
【図３】
2005147278.tif 000005
【図４】
2005147278.tif 000006
【図５】
2005147278.tif 000007
【図６】
2005147278.tif 000008
【図７】
2005147278.tif 000009